(57)【特許請求の範囲】
【請求項１】
映像信号発生手段、映像中継手段、切り替え命令送信手段を有し、ネットワークを介して異なる場所にある映像切り替え実施装置に映像の切り替え命令を行う映像切り替え指示装置が行う映像切り替え方法であって、
映像信号発生手段が、タイムコード（ＴＣｎｓ）を常に生成して映像中継手段に送信し、
映像中継手段が、前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信し、
切り替え命令送信手段が、切り替え指示信号の入力があると、映像中継手段から転送映像のタイムコード（ＴＣｐ）を読み込み、当該タイムコード（ＴＣｐ）を切り替えタイミングを示すタイムコード（ＴＣｓ）として、ネットワークを介して前記映像切り替え実施装置に送信する
ことを特徴とする遠隔映像切り替え方法。
【請求項２】
映像信号発生手段、映像中継手段、切り替え命令送信手段を有し、ネットワークを介して異なる場所にある映像切り替え実施装置に映像の切り替え命令を行う映像切り替え指示装置が行う映像切り替え方法であって、
映像信号発生手段が、タイムコード（ＴＣｎｓ）を常に生成して映像中継手段に送信し、
映像中継手段が、前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信し、
切り替え命令送信手段が、切り替え指示信号の入力があると、前記映像信号発生手段からタイムコード（ＴＣｎｓ）を読み込み、当該タイムコード（ＴＣｎｓ）を切り替えタイミングを示すタイムコード（ＴＣｓ）として、ネットワークを介して前記映像切り替え実施装置に送信する
ことを特徴とする遠隔映像切り替え方法。
【請求項３】
映像信号発生手段、映像中継手段、切り替え命令受信手段を有し、ネットワークを介して異なる場所にある映像切り替え指示装置からの命令により映像の切り替えを実施する映像切り替え実施装置が行う映像切り替え方法であって、
映像信号発生手段が、タイムコード（ＴＣｎｒ）を常に生成し、
映像中継手段が、ネットワークを介してタイムコード（ＴＣｐ）が付与された転送映像を前記映像切り替え指示装置から受信し、
切り替え命令受信手段が、映像中継手段からタイムコード（ＴＣｐ）を、映像信号発生手段からタイムコード（ＴＣｎｒ）を同時に読み取り、タイムコード（ＴＣｎｒ）からタイムコード（ＴＣｐ）を差し引いた値（ＴＣｄ）を求め、
切り替え命令受信手段が、前記タイムコード（ＴＣｐ）の受信から所定の時間内に切り替えタイミングを示すタイムコード（ＴＣｓ）を映像切り替え指示装置から受信すると、タイムコード（ＴＣｓ）に差（ＴＣｄ）を加えて映像切り替えタイミングを示すタイムコード（ＴＣｔ）求め、当該タイムコード（ＴＣｔ）が映像信号発生手段から受信するタイムコード（ＴＣｎｒ）と等しくなった際に映像の切り替えを実施する
ことを特徴とする遠隔映像切り替え方法。
【請求項４】
映像の切り替え命令を行う映像切り替え指示装置と、当該映像切り替え指示装置とネットワークを介して異なる場所にあり映像切り替え指示装置からの命令により映像の切り替えを実施する映像切り替え実施装置とによる映像切り替え方法であって、
映像切り替え指示装置の第１の映像中継手段が、ネットワークを介してタイムコード（ＴＣｐ）が付与された転送映像を前記切り替え実施装置に送信し、
映像切り替え指示装置の切り替え命令送信手段が、切り替え指示信号の入力があると、タイムコード（ＴＣｐ）を切り替えタイミングを示すタイムコード（ＴＣｓ）として、ネットワークを介して前記映像切り替え実施装置に送信し、
映像切り替え実施装置の第２の映像信号発生手段が、タイムコード（ＴＣｎｒ）を常に生成し、
映像切り替え実施装置の第２の映像中継手段が、ネットワークを介してタイムコード（ＴＣｐ）が付与された転送映像を前記映像切り替え指示装置から受信し、
映像切り替え実施装置の切り替え命令受信手段が、第２の映像中継手段からタイムコード（ＴＣｐ）を、第２の映像信号発生手段からタイムコード（ＴＣｎｒ）を同時に読み取り、タイムコード（ＴＣｎｒ）からタイムコード（ＴＣｐ）を差し引いた値（ＴＣｄ）を求め、
映像切り替え実施装置の切り替え命令受信手段が、前記タイムコード（ＴＣｐ）の受信から所定の時間内に切り替えタイミングを示すタイムコード（ＴＣｓ）を映像切り替え指示装置から受信すると、タイムコード（ＴＣｓ）に差（ＴＣｄ）を加えて映像切り替えタイミングを示すタイムコード（ＴＣｔ）求め、当該タイムコード（ＴＣｔ）が第２の映像信号発生手段から受信するタイムコード（ＴＣｎｒ）と等しくなった際に映像の切り替えを実施する
ことを特徴とする遠隔映像切り替え方法。
【請求項５】
映像切り替え指示装置の第１の映像信号発生手段が、タイムコード（ＴＣｎｓ）を常に生成して第１の映像中継手段に送信し、
映像切り替え指示装置の第１の映像中継手段が、前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信する
ことを特徴とする請求項４記載の遠隔映像切り替え方法。
【請求項６】
映像の切り替え命令を行う映像切り替え指示装置と、当該映像切り替え指示装置とネットワークを介して異なる場所にあり映像切り替え指示装置からの命令により映像の切り替えを実施する映像切り替え実施装置とによる映像切り替え方法であって、
映像切り替え指示装置の第１の映像信号発生手段が、タイムコード（ＴＣｎｓ）を常に生成して第１の映像中継手段に送信し、
映像切り替え指示装置の第１の映像中継手段が、前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信し、
映像切り替え指示装置の切り替え命令送信手段が、切り替え指示信号の入力があると、前記第１の映像信号発生手段からタイムコード（ＴＣｎｓ）を読み込み、当該タイムコード（ＴＣｎｓ）を切り替えタイミングを示すタイムコード（ＴＣｓ）として、ネットワークを介して前記映像切り替え実施装置に送信し、
映像切り替え実施装置の第２の映像信号発生手段が、タイムコード（ＴＣｎｒ）を常に生成し、
映像切り替え実施装置の第２の映像中継手段が、ネットワークを介してタイムコード（ＴＣｐ）が付与された転送映像を前記映像切り替え指示装置から受信し、
映像切り替え実施装置の切り替え命令受信手段が、第２の映像中継手段からタイムコード（ＴＣｐ）を、第２の映像信号発生手段からタイムコード（ＴＣｎｒ）を同時に読み取り、タイムコード（ＴＣｎｒ）からタイムコード（ＴＣｐ）を差し引いた値（ＴＣｄ）を求め、
映像切り替え実施装置の切り替え命令受信手段が、前記タイムコード（ＴＣｐ）の受信から所定の時間内に切り替えタイミングを示すタイムコード（ＴＣｓ）を映像切り替え指示装置から受信すると、タイムコード（ＴＣｓ）に差（ＴＣｄ）を加えて映像切り替えタイミングを示すタイムコード（ＴＣｔ）求め、当該タイムコード（ＴＣｔ）が第２の映像信号発生手段から受信するタイムコード（ＴＣｎｒ）と等しくなった際に映像の切り替えを実施する
ことを特徴とする遠隔映像切り替え方法。
【請求項７】
映像信号発生手段、映像中継手段、切り替え命令送信手段を有し、ネットワークを介して異なる場所にある映像切り替え実施装置に映像の切り替え命令を行う映像切り替え指示装置が構成された映像切り替え装置であって、
タイムコード（ＴＣｎｓ）を常に生成して映像中継手段に送信する映像信号発生手段と、
前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信する映像中継手段と、
切り替え指示信号の入力があると、映像中継手段から転送映像のタイムコード（ＴＣｐ）を読み込み、当該タイムコード（ＴＣｐ）を切り替えタイミングを示すタイムコード（ＴＣｓ）として、ネットワークを介して前記映像切り替え実施装置に送信する切り替え命令送信手段とを備えた
ことを特徴とする遠隔映像切り替え装置。
【請求項８】
映像信号発生手段、映像中継手段、切り替え命令送信手段を有し、ネットワークを介して異なる場所にある映像切り替え実施装置に映像の切り替え命令を行う映像切り替え指示装置が構成された映像切り替え装置であって、
タイムコード（ＴＣｎｓ）を常に生成して映像中継手段に送信する映像信号発生手段と、
前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信する映像中継手段と、
切り替え指示信号の入力があると、前記映像信号発生手段からタイムコード（ＴＣｎｓ）を読み込み、当該タイムコード（ＴＣｎｓ）を切り替えタイミングを示すタイムコード（ＴＣｓ）として、ネットワークを介して前記映像切り替え実施装置に送信する切り替え命令送信手段とを備えた
ことを特徴とする遠隔映像切り替え装置。
【請求項９】
映像信号発生手段、映像中継手段、切り替え命令受信手段を有し、ネットワークを介して異なる場所にある映像切り替え指示装置からの命令により映像の切り替えを実施する映像切り替え実施装置が構成された映像切り替え装置であって、
タイムコード（ＴＣｎｒ）を常に生成する映像信号発生手段と、
ネットワークを介してタイムコード（ＴＣｐ）が付与された転送映像を前記映像切り替え指示装置から受信する映像中継手段と、
映像中継手段からタイムコード（ＴＣｐ）を、映像信号発生手段からタイムコード（ＴＣｎｒ）を同時に読み取り、タイムコード（ＴＣｎｒ）からタイムコード（ＴＣｐ）を差し引いた値（ＴＣｄ）を求める切り替え命令受信手段とを備え、
該切り替え命令受信手段が、前記タイムコード（ＴＣｐ）の受信から所定の時間内に切り替えタイミングを示すタイムコード（ＴＣｓ）を映像切り替え指示装置から受信すると、タイムコード（ＴＣｓ）に差（ＴＣｄ）を加えて映像切り替えタイミングを示すタイムコード（ＴＣｔ）求め、当該タイムコード（ＴＣｔ）が映像信号発生手段から受信するタイムコード（ＴＣｎｒ）と等しくなった際に映像の切り替えを実施する
ことを特徴とする遠隔映像切り替え装置。
【請求項１０】
映像の切り替え命令を行う映像切り替え指示装置と、当該映像切り替え指示装置とネットワークを介して異なる場所にあり映像切り替え指示装置からの命令により映像の切り替えを実施する映像切り替え実施装置とによる映像切り替え装置であって、
ネットワークを介してタイムコード（ＴＣｐ）が付与された転送映像を前記切り替え実施装置に送信する映像切り替え指示装置の第１の映像中継手段と、
切り替え指示信号の入力があると、タイムコード（ＴＣｐ）を切り替えタイミングを示すタイムコード（ＴＣｓ）として、ネットワークを介して前記映像切り替え実施装置に送信する映像切り替え指示装置の切り替え命令送信手段と、
タイムコード（ＴＣｎｒ）を常に生成する映像切り替え実施装置の第２の映像信号発生手段と、
ネットワークを介してタイムコード（ＴＣｐ）が付与された転送映像を前記映像切り替え指示装置から受信する映像切り替え実施装置の第２の映像中継手段と、
第２の映像中継手段からタイムコード（ＴＣｐ）を、第２の映像信号発生手段からタイムコード（ＴＣｎｒ）を同時に読み取り、タイムコード（ＴＣｎｒ）からタイムコード（ＴＣｐ）を差し引いた値（ＴＣｄ）を求める映像切り替え実施装置の切り替え命令受信手段とを備え、
該映像切り替え実施装置の切り替え命令受信手段が、前記タイムコード（ＴＣｐ）の受信から所定の時間内に切り替えタイミングを示すタイムコード（ＴＣｓ）を映像切り替え指示装置から受信すると、タイムコード（ＴＣｓ）に差（ＴＣｄ）を加えて映像切り替えタイミングを示すタイムコード（ＴＣｔ）求め、当該タイムコード（ＴＣｔ）が第２の映像信号発生手段から受信するタイムコード（ＴＣｎｒ）と等しくなった際に映像の切り替えを実施する
ことを特徴とする遠隔映像切り替え装置。
【請求項１１】
タイムコード（ＴＣｎｓ）を常に生成して第１の映像中継手段に送信する映像切り替え指示装置の第１の映像信号発生手段と、
前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信する映像切り替え指示装置の第１の映像中継手段とを備えた
ことを特徴とする請求項１０記載の遠隔映像切り替え装置。
【請求項１２】
映像の切り替え命令を行う映像切り替え指示装置と、当該映像切り替え指示装置とネットワークを介して異なる場所にあり映像切り替え指示装置からの命令により映像の切り替えを実施する映像切り替え実施装置とによる映像切り替え装置であって、
タイムコード（ＴＣｎｓ）を常に生成して第１の映像中継手段に送信する映像切り替え指示装置の第１の映像信号発生手段と、
前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信する映像切り替え指示装置の第１の映像中継手段と、
切り替え指示信号の入力があると、前記第１の映像信号発生手段からタイムコード（ＴＣｎｓ）を読み込み、当該タイムコード（ＴＣｎｓ）を切り替えタイミングを示すタイムコード（ＴＣｓ）として、ネットワークを介して前記映像切り替え実施装置に送信する映像切り替え指示装置の切り替え命令送信手段と、
タイムコード（ＴＣｎｒ）を常に生成する映像切り替え実施装置の第２の映像信号発生手段と、
ネットワークを介してタイムコード（ＴＣｐ）が付与された転送映像を前記映像切り替え指示装置から受信する映像切り替え実施装置の第２の映像中継手段と、
第２の映像中継手段からタイムコード（ＴＣｐ）を、第２の映像信号発生手段からタイムコード（ＴＣｎｒ）を同時に読み取り、タイムコード（ＴＣｎｒ）からタイムコード（ＴＣｐ）を差し引いた値（ＴＣｄ）を求める映像切り替え実施装置の切り替え命令受信手段とを備え、
映像切り替え実施装置の切り替え命令受信手段が、前記タイムコード（ＴＣｐ）の受信から所定の時間内に切り替えタイミングを示すタイムコード（ＴＣｓ）を映像切り替え指示装置から受信すると、タイムコード（ＴＣｓ）に差（ＴＣｄ）を加えて映像切り替えタイミングを示すタイムコード（ＴＣｔ）求め、当該タイムコード（ＴＣｔ）が第２の映像信号発生手段から受信するタイムコード（ＴＣｎｒ）と等しくなった際に映像の切り替えを実施する
ことを特徴とする遠隔映像切り替え装置。
【請求項１３】
請求項７ないし請求項１２のいずれか１項に記載の遠隔切り替え装置を構成する各手段としてコンピュータを機能させる遠隔映像切り替えプログラム。
【請求項１４】
請求項１３の遠隔映像切り替えプログラムを記録媒体に記録したコンピュータ読み取り可能な記録媒体。
【発明の詳細な説明】
【０００１】
【発明の属する技術分野】
本発明は、複数中継地点から同期網や非同期網を用いて映像転送を行い、蓄積映像データや中継映像との切り替えを実施するにあたり、切り替え実施場所と切り替え命令場所が異なる場合に、切り替え指示された映像フレームを正確な切り替えで実現する遠隔映像切り替え方法、遠隔映像切り替え装置、遠隔映像切り替えプログラム及び遠隔映像切り替えプログラムを記録した記録媒体に関するものである。
【０００２】
【従来の技術】
従来は、一箇所の放送局やスタジオにおいて、映像転送に影響がでる遅延変動がない同期網を用いて映像を転送し、映像切り替えが実施されている。例えば、中継映像を切り替えるためには、切り替えタイミングを、モニタ映像を確認しながら決定し、切り替えタイミングが来た場合にスイッチを遅延なく動作させる手段が採られている。
【０００３】
【発明が解決しようとする課題】
現在は、一箇所に映像データを集めて映像切り替えが行われている。しかし、今後のデータセンタ化に伴い、映像データの分散が進むと考えられる。この場合には、複数箇所から送られた映像データやデータセンタに蓄積された映像データを、一箇所のスタジオから切り替え命令を送信し、データセンタにおいて切り替えを実施するといった、切り替え命令地点と切り替え実施地点が異なる状況が考えられる。また、両地点を結ぶ通信路にインターネットのような非同期網を用いることが考えられる。
【０００４】
切り替えを指示する場所と、実施場所が異なると、切り替え命令の転送と映像転送が個別に必要となる。この際に、編集命令の伝播遅延と映像転送の伝送遅延時間が異なる場合には、切り替えを指示した映像フレームと、切り替えが実施される映像フレームが異なり、正確に切り替えが実施されない。
【０００５】
この解決方法として、映像にタイムコード（ＴＣｐ）を埋め込み、切り替え命令地点から切り替えタイミングを示すタイムコード（ＴＣｓ）を指定して送信する。切り替え実施地点においては、映像からタイムコード（ＴＣｐ）を読み込み、上記（ＴＣｓ）と（ＴＣｐ）のタイムコードを監視し続け、両者が等しくなるタイミングで映像切り替えを実施する方法が考えられる。
【０００６】
映像切り替えを実施するにあたり、複数のスタジオとデータセンタを接続するために、インターネットといった網を用いる場合には、映像データの損失が考えられる。この場合には、映像に埋め込まれたタイムコードを常に監視した映像切り替え方法では、正確に映像切り替えが実施できない。
【０００７】
その他の方法として、映像転送時間と映像切り替え命令の転送時間を、予め測定し、切り替え時に切り替え命令をタイミング良く送出する方法が考えられる。この方法、転送に利用したネットワークが遅延変動する場合には、切り替え命令が遅延変動の影響を受けた場合には、正確に映像切り替えを実施することができない。
【０００８】
本発明は、上記の事情に鑑みてなされたもので、遠隔地間において、映像切り替え指示により指定された映像フレームを、転送に利用したネットワークの種別によらず、映像切り替えを正確に実施する遠隔映像切り替え方法、遠隔映像切り替え装置、遠隔映像切り替えプログラム及び遠隔映像切り替えプログラムを記録した記録媒体を提供することを課題とする。
【０００９】
【課題を解決するための手段】
上記課題を解決するに当たり、タイムコード（ＴＣ）に付いて述べるに、映像ストリームには、タイムコード（ＴＣ）が埋め込まれており、映像切り替え命令場所と切り替え実施場所において、タイムコード（ＴＣ）を読み込むことが出来るように構成されている。まず、読み込んだタイムコード値を（ＴＣｐ）とする。特に、映像切り替え命令場所において読み込んだ（ＴＣｐ）をタイムコード（ＴＣｐｓ）とし、映像切り替え実施場所において読み込んだ（ＴＣｐ）をタイムコード（ＴＣｐｒ）としている。
【００１０】
映像信号発生装置は、映像ストリームで利用可能な形式のタイムコードを生成し、生成したタイムコード値を（ＴＣｎ）とする。特に映像切り替え命令場所において生成した（ＴＣｎ）をタイムコード（ＴＣｎｓ）とし、映像切り替え実施場所において生成した（ＴＣｎ）をタイムコード（ＴＣＣｎｒ）としている。
【００１１】
ＴＣｓは、映像切り替え命令場所から映像切り替え実施場所に対して送信される映像切り替えタイミングを示すタイムコードであり、上記（ＴＣｐ）や（ＴＣｎ）とは異なり、上記タイムコード（ＴＣｐｓ）や（ＴＣｎｓ）をタイムコード（ＴＣｓ）として送信することができる。
【００１２】
また、（ＴＣｄ）と（ＴＣｔ）は、計算式に基づいて算出された値であり、（ＴＣｃ）は、ビデオサーバやビデオデッキに蓄積されている映像の再生スタート地点を示すタイムコードである。
【００１３】
上記のように定義されたタイムコードに基づいた本発明を次に述べる。
【００１４】
本発明は、上記の課題を解決するために、第１発明は、映像信号発生手段、映像中継手段、切り替え命令送信手段を有し、ネットワークを介して異なる場所にある映像切り替え実施装置に映像の切り替え命令を行う映像切り替え指示装置が行う映像切り替え方法であって、
映像信号発生手段が、タイムコード（ＴＣｎｓ）を常に生成して映像中継手段に送信し、
映像中継手段が、前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信し、
切り替え命令送信手段が、切り替え指示信号の入力があると、映像中継手段から転送映像のタイムコード（ＴＣｐ）を読み込み、当該タイムコード（ＴＣｐ）を切り替えタイミングを示すタイムコード（ＴＣｓ）として、ネットワークを介して前記映像切り替え実施装置に送信することを特徴とする遠隔映像切り替え方法である。
【００１５】
第２発明は、映像信号発生手段、映像中継手段、切り替え命令送信手段を有し、ネットワークを介して異なる場所にある映像切り替え実施装置に映像の切り替え命令を行う映像切り替え指示装置が行う映像切り替え方法であって、
映像信号発生手段が、タイムコード（ＴＣｎｓ）を常に生成して映像中継手段に送信し、
映像中継手段が、前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信し、
切り替え命令送信手段が、切り替え指示信号の入力があると、前記映像信号発生手段からタイムコード（ＴＣｎｓ）を読み込み、当該タイムコード（ＴＣｎｓ）を切り替えタイミングを示すタイムコード（ＴＣｓ）として、ネットワークを介して前記映像切り替え実施装置に送信することを特徴とする遠隔映像切り替え方法である。
【００１６】
第３発明は、映像信号発生手段、映像中継手段、切り替え命令受信手段を有し、ネットワークを介して異なる場所にある映像切り替え指示装置からの命令により映像の切り替えを実施する映像切り替え実施装置が行う映像切り替え方法であって、
映像信号発生手段が、タイムコード（ＴＣｎｒ）を常に生成し、
映像中継手段が、ネットワークを介してタイムコード（ＴＣｐ）が付与された転送映像を前記映像切り替え指示装置から受信し、
切り替え命令受信手段が、映像中継手段からタイムコード（ＴＣｐ）を、映像信号発生手段からタイムコード（ＴＣｎｒ）を同時に読み取り、タイムコード（ＴＣｎｒ）からタイムコード（ＴＣｐ）を差し引いた値（ＴＣｄ）を求め、
切り替え命令受信手段が、前記タイムコード（ＴＣｐ）の受信から所定の時間内に切り替えタイミングを示すタイムコード（ＴＣｓ）を映像切り替え指示装置から受信すると、タイムコード（ＴＣｓ）に差（ＴＣｄ）を加えて映像切り替えタイミングを示すタイムコード（ＴＣｔ）求め、当該タイムコード（ＴＣｔ）が映像信号発生手段から受信するタイムコード（ＴＣｎｒ）と等しくなった際に映像の切り替えを実施することを特徴とする遠隔映像切り替え方法である。
【００１７】
第４発明は、映像の切り替え命令を行う映像切り替え指示装置と、当該映像切り替え指示装置とネットワークを介して異なる場所にあり映像切り替え指示装置からの命令により映像の切り替えを実施する映像切り替え実施装置とによる映像切り替え方法であって、
映像切り替え指示装置の第１の映像中継手段が、ネットワークを介してタイムコード（ＴＣｐ）が付与された転送映像を前記切り替え実施装置に送信し、
映像切り替え指示装置の切り替え命令送信手段が、切り替え指示信号の入力があると、タイムコード（ＴＣｐ）を切り替えタイミングを示すタイムコード（ＴＣｓ）として、ネットワークを介して前記映像切り替え実施装置に送信し、
映像切り替え実施装置の第２の映像信号発生手段が、タイムコード（ＴＣｎｒ）を常に生成し、
映像切り替え実施装置の第２の映像中継手段が、ネットワークを介してタイムコード（ＴＣｐ）が付与された転送映像を前記映像切り替え指示装置から受信し、
映像切り替え実施装置の切り替え命令受信手段が、第２の映像中継手段からタイムコード（ＴＣｐ）を、第２の映像信号発生手段からタイムコード（ＴＣｎｒ）を同時に読み取り、タイムコード（ＴＣｎｒ）からタイムコード（ＴＣｐ）を差し引いた値（ＴＣｄ）を求め、
映像切り替え実施装置の切り替え命令受信手段が、前記タイムコード（ＴＣｐ）の受信から所定の時間内に切り替えタイミングを示すタイムコード（ＴＣｓ）を映像切り替え指示装置から受信すると、タイムコード（ＴＣｓ）に差（ＴＣｄ）を加えて映像切り替えタイミングを示すタイムコード（ＴＣｔ）求め、当該タイムコード（ＴＣｔ）が第２の映像信号発生手段から受信するタイムコード（ＴＣｎｒ）と等しくなった際に映像の切り替えを実施することを特徴とする遠隔映像切り替え方法である。
【００１８】
第５発明は、映像切り替え指示装置の第１の映像信号発生手段が、タイムコード（ＴＣｎｓ）を常に生成して第１の映像中継手段に送信し、
映像切り替え指示装置の第１の映像中継手段が、前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信することを特徴とする遠隔映像切り替え方法である。
【００１９】
第６発明は、映像の切り替え命令を行う映像切り替え指示装置と、当該映像切り替え指示装置とネットワークを介して異なる場所にあり映像切り替え指示装置からの命令により映像の切り替えを実施する映像切り替え実施装置とによる映像切り替え方法であって、
映像切り替え指示装置の第１の映像信号発生手段が、タイムコード（ＴＣｎｓ）を常に生成して第１の映像中継手段に送信し、
映像切り替え指示装置の第１の映像中継手段が、前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信し、
映像切り替え指示装置の切り替え命令送信手段が、切り替え指示信号の入力があると、前記第１の映像信号発生手段からタイムコード（ＴＣｎｓ）を読み込み、当該タイムコード（ＴＣｎｓ）を切り替えタイミングを示すタイムコード（ＴＣｓ）として、ネットワークを介して前記映像切り替え実施装置に送信し、
映像切り替え実施装置の第２の映像信号発生手段が、タイムコード（ＴＣｎｒ）を常に生成し、
映像切り替え実施装置の第２の映像中継手段が、ネットワークを介してタイムコード（ＴＣｐ）が付与された転送映像を前記映像切り替え指示装置から受信し、
映像切り替え実施装置の切り替え命令受信手段が、第２の映像中継手段からタイムコード（ＴＣｐ）を、第２の映像信号発生手段からタイムコード（ＴＣｎｒ）を同時に読み取り、タイムコード（ＴＣｎｒ）からタイムコード（ＴＣｐ）を差し引いた値（ＴＣｄ）を求め、
映像切り替え実施装置の切り替え命令受信手段が、前記タイムコード（ＴＣｐ）の受信から所定の時間内に切り替えタイミングを示すタイムコード（ＴＣｓ）を映像切り替え指示装置から受信すると、タイムコード（ＴＣｓ）に差（ＴＣｄ）を加えて映像切り替えタイミングを示すタイムコード（ＴＣｔ）求め、当該タイムコード（ＴＣｔ）が第２の映像信号発生手段から受信するタイムコード（ＴＣｎｒ）と等しくなった際に映像の切り替えを実施することを特徴とする遠隔映像切り替え方法である。
【００２０】
第７発明は、映像信号発生手段、映像中継手段、切り替え命令送信手段を有し、ネットワークを介して異なる場所にある映像切り替え実施装置に映像の切り替え命令を行う映像切り替え指示装置が構成された映像切り替え装置であって、
タイムコード（ＴＣｎｓ）を常に生成して映像中継手段に送信する映像信号発生手段と、
前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信する映像中継手段と、
切り替え指示信号の入力があると、映像中継手段から転送映像のタイムコード（ＴＣｐ）を読み込み、当該タイムコード（ＴＣｐ）を切り替えタイミングを示すタイムコード（ＴＣｓ）として、ネットワークを介して前記映像切り替え実施装置に送信する切り替え命令送信手段とを備えたことを特徴とする遠隔映像切り替え装置である、
【００２１】
第８発明は、映像信号発生手段、映像中継手段、切り替え命令送信手段を有し、ネットワークを介して異なる場所にある映像切り替え実施装置に映像の切り替え命令を行う映像切り替え指示装置が構成された映像切り替え装置であって、
タイムコード（ＴＣｎｓ）を常に生成して映像中継手段に送信する映像信号発生手段と、
前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信する映像中継手段と、
切り替え指示信号の入力があると、前記映像信号発生手段からタイムコード（ＴＣｎｓ）を読み込み、当該タイムコード（ＴＣｎｓ）を切り替えタイミングを示すタイムコード（ＴＣｓ）として、ネットワークを介して前記映像切り替え実施装置に送信する切り替え命令送信手段とを備えたことを特徴とする遠隔映像切り替え装置である。
【００２２】
第９発明は、映像信号発生手段、映像中継手段、切り替え命令受信手段を有し、ネットワークを介して異なる場所にある映像切り替え指示装置からの命令により映像の切り替えを実施する映像切り替え実施装置が構成された映像切り替え装置であって、
タイムコード（ＴＣｎｒ）を常に生成する映像信号発生手段と、
ネットワークを介してタイムコード（ＴＣｐ）が付与された転送映像を前記映像切り替え指示装置から受信する映像中継手段と、
映像中継手段からタイムコード（ＴＣｐ）を、映像信号発生手段からタイムコード（ＴＣｎｒ）を同時に読み取り、タイムコード（ＴＣｎｒ）からタイムコード（ＴＣｐ）を差し引いた値（ＴＣｄ）を求める切り替え命令受信手段とを備え、
該切り替え命令受信手段が、前記タイムコード（ＴＣｐ）の受信から所定の時間内に切り替えタイミングを示すタイムコード（ＴＣｓ）を映像切り替え指示装置から受信すると、タイムコード（ＴＣｓ）に差（ＴＣｄ）を加えて映像切り替えタイミングを示すタイムコード（ＴＣｔ）求め、当該タイムコード（ＴＣｔ）が映像信号発生手段から受信するタイムコード（ＴＣｎｒ）と等しくなった際に映像の切り替えを実施することを特徴とする遠隔映像切り替え装置である。
【００２３】
第１０発明は、映像の切り替え命令を行う映像切り替え指示装置と、当該映像切り替え指示装置とネットワークを介して異なる場所にあり映像切り替え指示装置からの命令により映像の切り替えを実施する映像切り替え実施装置とによる映像切り替え装置であって、
ネットワークを介してタイムコード（ＴＣｐ）が付与された転送映像を前記切り替え実施装置に送信する映像切り替え指示装置の第１の映像中継手段と、
切り替え指示信号の入力があると、タイムコード（ＴＣｐ）を切り替えタイミングを示すタイムコード（ＴＣｓ）として、ネットワークを介して前記映像切り替え実施装置に送信する映像切り替え指示装置の切り替え命令送信手段と、
タイムコード（ＴＣｎｒ）を常に生成する映像切り替え実施装置の第２の映像信号発生手段と、
ネットワークを介してタイムコード（ＴＣｐ）が付与された転送映像を前記映像切り替え指示装置から受信する映像切り替え実施装置の第２の映像中継手段と、
第２の映像中継手段からタイムコード（ＴＣｐ）を、第２の映像信号発生手段からタイムコード（ＴＣｎｒ）を同時に読み取り、タイムコード（ＴＣｎｒ）からタイムコード（ＴＣｐ）を差し引いた値（ＴＣｄ）を求める映像切り替え実施装置の切り替え命令受信手段とを備え、
該映像切り替え実施装置の切り替え命令受信手段が、前記タイムコード（ＴＣｐ）の受信から所定の時間内に切り替えタイミングを示すタイムコード（ＴＣｓ）を映像切り替え指示装置から受信すると、タイムコード（ＴＣｓ）に差（ＴＣｄ）を加えて映像切り替えタイミングを示すタイムコード（ＴＣｔ）求め、当該タイムコード（ＴＣｔ）が第２の映像信号発生手段から受信するタイムコード（ＴＣｎｒ）と等しくなった際に映像の切り替えを実施することを特徴とする遠隔映像切り替え装置である。
【００２４】
第１１発明は、タイムコード（ＴＣｎｓ）を常に生成して第１の映像中継手段に送信する映像切り替え指示装置の第１の映像信号発生手段と、
前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信する映像切り替え指示装置の第１の映像中継手段とを備えたことを特徴とする遠隔映像切り替え装置である。
【００２５】
第１２発明は、映像の切り替え命令を行う映像切り替え指示装置と、当該映像切り替え指示装置とネットワークを介して異なる場所にあり映像切り替え指示装置からの命令により映像の切り替えを実施する映像切り替え実施装置とによる映像切り替え装置であって、
タイムコード（ＴＣｎｓ）を常に生成して第１の映像中継手段に送信する映像切り替え指示装置の第１の映像信号発生手段と、
前記タイムコード（ＴＣｎｓ）を受信し、常に転送映像にタイムコード（ＴＣｐ）として付与し続け、ネットワークを介してタイムコード（ＴＣｐ）が付与された転送映像を前記映像切り替え実施装置に送信する映像切り替え指示装置の第１の映像中継手段と、
切り替え指示信号の入力があると、前記第１の映像信号発生手段からタイムコード（ＴＣｎｓ）を読み込み、当該タイムコード（ＴＣｎｓ）を切り替えタイミングを示すタイムコード（ＴＣｓ）として、ネットワークを介して前記映像切り替え実施装置に送信する映像切り替え指示装置の切り替え命令送信手段と、
タイムコード（ＴＣｎｒ）を常に生成する映像切り替え実施装置の第２の映像信号発生手段と、
ネットワークを介してタイムコード（ＴＣｐ）が付与された転送映像を前記映像切り替え指示装置から受信する映像切り替え実施装置の第２の映像中継手段と、
第２の映像中継手段からタイムコード（ＴＣｐ）を、第２の映像信号発生手段からタイムコード（ＴＣｎｒ）を同時に読み取り、タイムコード（ＴＣｎｒ）からタイムコード（ＴＣｐ）を差し引いた値（ＴＣｄ）を求める映像切り替え実施装置の切り替え命令受信手段とを備え、
映像切り替え実施装置の切り替え命令受信手段が、前記タイムコード（ＴＣｐ）の受信から所定の時間内に切り替えタイミングを示すタイムコード（ＴＣｓ）を映像切り替え指示装置から受信すると、タイムコード（ＴＣｓ）に差（ＴＣｄ）を加えて映像切り替えタイミングを示すタイムコード（ＴＣｔ）求め、当該タイムコード（ＴＣｔ）が第２の映像信号発生手段から受信するタイムコード（ＴＣｎｒ）と等しくなった際に映像の切り替えを実施することを特徴とする遠隔映像切り替え装置である。
【００２６】
第１３発明は、第７発明ないし第１２発明のいずれか１つに記載の遠隔切り替え装置を構成する各手段としてコンピュータを機能させる遠隔映像切り替えプログラムである。
【００２７】
第１４発明は、第１３発明の遠隔映像切り替えプログラムを記録媒体に記録したコンピュータ読み取り可能な記録媒体である。
【００３４】
【発明の実施の形態】
以下本発明の実施の形態を図面に基づいて詳細に説明する。図１は本発明の実施の第１形態を示す遠隔切り替え装置のシステム構成図で、図１の映像切り替え装置は、切り替え指示装置１０と切り替え実施装置２０により構成され、両者は、インターネット、電話網、もしくは、ＷＤＭと言った各種ネットワーク３０により接続されている。
【００３５】
切り替え指示装置１０は、映像中継装置１１、モニタ画面１２、切り替え指示ボタン１３、切り替え命令送信機１４、映像信号発生装置１５から構成される。
【００３６】
切り替え実施装置２０は、映像中継装置２１、スイッチャ２２、切り替え命令受信機２３、複数台のビデオサーバ２４、映像信号発生装置２５から構成される。
【００３７】
切り替え指示装置１０と切り替え実施装置２０に設置された映像信号発生装置１５，２５は、ＧＰＳやＩＳＤＮ時計同期技術を用いて、正確に周波数同期が実現され、映像フレームを同期するためのリファレンスクロックＲＣを生成する。
【００３８】
切り替え指示装置１０において、映像信号発生装置１５は、リファレンスクロックＲＣを映像中継装置１１に送信する。また、同映像信号発生装置１５は、保持している時刻から作成したタイムコード（ＴＣｎｓ）を映像中継装置１１と切り替え命令送信機１４に送信する。映像中継装置１１は、中継映像を切り替え実施装置２０の映像中継装置２１へ送信する。
【００３９】
また、映像中継装置１１は、映像に付与されたタイムコード（ＴＣｐｓ）を切り替え命令送信機１４へ送信する。ここで、切り替え命令者は、モニタ画面１２の映像を確認し、切り替えを行なうタイミングにおいて、切り替え先映像を指定して切り替え指示ボタン１３を押す。
【００４０】
切り替え指示ボタン１３は、ボタンが押された際に、信号を切り替え命令送信機１４へ送信する。切り替え命令送信機１４は、切り替え指示ボタン１３から信号を受け取った際に、切り替えタイミングを示すタイムコード（ＴＣｓ）を、ネットワーク３０を介して切り替え実施装置２０の切り替え命令受信機２３へ送信する。
【００４１】
一方、切り替え実施装置２０において、映像信号発生装置２５は、リファレンスクロックＲＣを映像中継装置２１、スイッチャ２２、ビデオザーバ２４ヘ送信する。また、同映像信号発生装置２５は、保持している時刻から生成したタイムコード（ＴＣｎｒ）を切り替え命令受信機２３に送信する。
【００４２】
映像中継装置２１は、受信映像に付与されたタイムコード（ＴＣｐｒ）を読み取り、切り替え命令受信機２３へ送信する。また同中継装置２１は、受信映像をスイッチャ２２ヘ送信する。切り替え命令受信機２３は、切り替え命令送信機１４からタイムコードを受信した後に、スイッチャ２２とビデオサーバ２４に制御信号を送信する。
【００４３】
次に、切り替え指示装置１０と切り替え実施装置２０の動作手順を図２から図６のフローチャートにより述べる。特に、図２は請求項１，５に関する切り替え指示装置１０における切り替え命令送信機１４の動作手順である。
【００４４】
図２において、まず、映像切り替えボタンからの信号受信待機［ステップＳ１］のとき、切り替え指示ボタン１３から切り替え指示信号を切り替え命令送信機１４が受信する。
【００４５】
すると、送信機１４は、映像中継装置１１からタイムコード（ＴＣｐｓ）を受信し取得する［ステップＳ２］。その後、送信機１４は、タイムコード（ＴＣｐｓ）をタイムコード（ＴＣｓ）として切り替え命令受信機２３へ送信する［ステップＳ３］。
【００４６】
図３は、切り替え指示装置１０における動作手順を示すフローチャートで、切り替え命令送信機１４から映像中継装置１１にタイムコード（ＴＣｎｓ）を送信して、常に映像にタイムコード（ＴＣｐｓ）として付与し続けると同時に以下の処理を行う［ステップ１１］。
【００４７】
次に、映像切り替えボタンからの信号受信待機［ステップＳ１２］のとき、切り替え指示ボタン１３から切り替え指示信号を送信機１４が受信する。すると、送信機１４は、映像中継装置１１からタイムコード（ＴＣｐｓ）を受信し取得する［ステップＳ１３］。
【００４８】
その後、送信機１４は、タイムコード（ＴＣｐｓ）をタイムコード（ＴＣｓ）として切り替え命令受信機２３へ送信する［ステップＳ１４］。
【００４９】
図４は、切り替え指示装置１０における動作手順を示すフローチャートで、切り替え命令送信機１４から映像中継装置１１にタイムコード（ＴＣｎｓ）を送信して、常に映像にタイムコード（ＴＣｐｓ）として付与し続けると同時に以下の処理を行う［ステップＳ２１］。
【００５０】
次に、映像切り替えボタンからの信号受信待機［ステップＳ２２］のとき、切り替え指示ボタン１３から切り替え指示信号を送信機１４が受信する。すると送信機１４は、映像信号発生装置１５からタイムコード（ＴＣｎｓ）を受信し取得する［ステップＳ２３］。
【００５１】
その後、送信機１４は、タイムコード（ＴＣｎｓ）をタイムコード（ＴＣｓ）として切り替え命令受信機２３へ送信する［ステップＳ２４］。
【００５２】
図５は、切り替え実施装置２０における動作手順を示すフローチャートで、切り替え命令受信機２３は以下のように動作する。
【００５３】
まず、受信機２３は、映像中継装置２１からタイムコード（ＴＣｐｒ）を取得する［ステップ３１］。この動作と同時に、映像信号発生装置２５からタイムコード（ＴＣｎｒ）を受信する［ステップ３２］。
【００５４】
次に、タイムコード（ＴＣｎｒ）よりタイムコード（ＴＣｐｒ）を差し引いてタイムコード（ＴＣｄ）を算出して保持する［ステップ３３，３４］。
【００５５】
ステップ３４で一定時間待機しているとき、切り替え命令送信機１４からタイムコード（ＴＣｓ）を受信し取得した際に［ステップ３５］、タイムコード（ＴＣｓ）にタイムコード（ＴＣｄ）を加えて、１フレームを引き算した値のタイムコード（ＴＣｔ）を、映像切り替えタイミングを示すタイムコード（ＴＣｔ）として求める［ステップ３６］。
【００５６】
その後、映像信号発生装置２５からタイムコード（ＴＣｎｒ）を繰り返し受信して［ステップ３７］、タイムコード（ＴＣｎｒ）とタイムコード（ＴＣｔ）が等しくなった際に［ステップ３８］、映像切り替えを実施する［ステップ３９］。
【００５７】
図６は、切り替え実施装置２０における動作手順を示すフローチャートで、切り替え命令受信機２３は以下のように動作する。
【００５８】
まず、タイムコード（ＴＣｓ）が到着するまで待機する［ステップ４１］。その後、切り替え命令送信機１４からタイムコード（ＴＣｓ）を受信機２３が受信し取得した際に［ステップ４２］、映像中継装置２１からタイムコード（ＴＣｐｒ）を取得する［ステップ４３］。
【００５９】
次に、タイムコード（ＴＣｓ）よりタイムコード（ＴＣｐｒ）を差し引いて（ＴＣｄ）を算出する［ステップ４４］。算出したタイムコード（ＴＣｄ）が示す時間間隔待機した後に［ステップ４５］、タイムコード（ＴＣｎｒ）をもとにして、映像切り替えを実施する［ステップ４６］。
【００６０】
上述した操作によって、スイッチャ２２から、切り替え命令が送信されたフレームにおいて、ビデオサーバ２４の映像と中継映像を切り替えた映像の出力を実現する。なお、ステップ４１からステップ４４の操作は、常に行う必要はない。
【００６１】
図７は、本発明の実施の第２形態を示す遠隔映像切り替えシステムの構成説明図である。図７では、スタジオ５０において、一台のカメラで撮影された映像と、データセンタ６０に蓄積されている映像を、データセンタにおいて切り替えるための動作例を示す。
【００６２】
スタジオ５０は、ビデオカメラ５１、ビデオレコーダ５２、トランスミッタ５３、切り替え指示ボタン５４、切り替え命令送信機５５、モニタ５６、映像信号発生装置５７で構成される。
【００６３】
データセンタ６０は、映像信号発生装置６１を搭載した切り替え命令受信機６２、ビデオレコーダ６３、スイッチャ６４、トランスミッタ６５、ビデオサーバ６６ａ，６６ｂ，６６ｃ……で構成される。
【００６４】
スタジオ５０およびデータセンタ６０において、映像信号発生装置６１にＩＳＤＮからなるインターネット７０を接続して、ＩＳＤＮ時計同期方式を用いて時刻と周波数の同期が行なわれている。
【００６５】
本装置は、絶対時刻から生成したタイムコードとリファレンスクロックを生成する。データセンタ６０の切り替え命令受信機６２は、映像信号発生装置６１を内蔵しており、装置内部においてタイムコードを取得することが可能である。
【００６６】
映像ストリームは、同軸ケーブルにより接続されて、ＳＤＩネットワークにより各映像機器間を転送される。映像信号発生装置６１は、各映像機器と同軸ケーブルで接続されて、リファレンスクロックを送信する。
【００６７】
各映像機器は、リファレンスクロックを受け取り、映像フレームの同期を実現する。
【００６８】
スタジオ５０において、タイムコードは、音声用アナログケーブルを用いて映像信号発生装置５７からビデオレコーダ５２ヘ送信される。
【００６９】
切り替え命令受信機６２から各映像機器へのコントロール信号は、ＲＳ−２３２／４２２ケーブルを用いて送信される。
【００７０】
なお、インターネット７０は、Ｆａｓｔ  Ｅｔｈｅｒもしくは、Ｇｉｇａ  Ｅｔｈｅｒの帯域を持つ。
【００７１】
スタジオ５０において、ビデオカメラ５１で撮られた映像ストリームは、ＳＤＩネットワークを経由して、ビデオレコーダ５２に送られる。ビデオレコーダ５２は、入力された映像ストリームに対して映像信号発生装置５７から受け取ったタイムコードを付与し、ＳＤＩネットワークを経由してトランスミッタ５３ヘ送信する。
【００７２】
また、ビデオレコーダ５２は、モニタ用映像をモニタ５６へ送信する。トランスミッタ５３は、ＳＤＩ上の映像データをＩＰプロトコルに搭載して、インターネット７０を通して送信する。切り替え命令者は、モニタ５６の画面を見ながら、切り替えを行うタイミングで切り替え指示ボタン５４を押す。
【００７３】
データセンタ６０において、トランスミッタ６５は、インターネット７０より受け取った映像ストリームを、ＳＤＩネットワークを経由してビデオレコーダ６３ヘ送信する。ビデオレコーダ６３は、映像ストリームからタイムコードを取り出して切り替え命令受信機６２へ送信し、スイッチャ６４ヘ映像を送信する。
【００７４】
切り替え命令受信機６２は、ＲＳ−２３２Ｃ／４２２を経由してビデオサーバ６６ａ，６６ｂ，６６ｃ……、ビデオレコーダ６３、スイッチャ６４といった映像機器の制御を行う。切り替え命令受信機６２は、切り替え命令送信機６２から情報を受け取った後に、切り替え動作を実現する。
【００７５】
切り替え命令送信機５５から送信される命令は、Ｕｓｅｒ  ＤａｔａｇｒａｍＰｒｏｔｏｃｏ１（ＵＤＰ）を利用して切り替え命令受信機６２へ送信する。このパケットを切り替え命令パケットと呼ぶ。パケットロスに対応するため、ひとつの命令は、１００ｍｓおきに３回連続して、３個の切り替え命令パケットとして送信する。切り替え命令パケットのヘッダには、オペレーション番号のフィールドがあり、命令を出すごとに番号が１ずつ増加する。切り替え命令受信機６２は、同一のオペレーション番号を持つ切り替え命令パケットについて、２個目以降を廃棄する。
【００７６】
映像切り替えのため、ＣＵＥ  ＵＰ，ＣＭ  ＩＮ，ＣＭ  ＩＮ  ＴｌＭＥＤ  ＯＵＴ，ＣＭ  ＯＵＴ，ＭＡＴＲＩＸ  ＲＥＡＤ，ＭＡＴＲＩＸ  ＣＨＡＮＧＥと呼ぶコマンドを用意する。それぞれの命令は、切り替え指示ボタンが押された際に、そのボタンの種類によって分けられる。これらは以下の手順により実行される。
【００７７】
ＣＵＥ  ＵＰ
１．切り替え命令送信機５５から、切り替え後の再生ファイル名（Ｆ）と映像再生開始地点を示すタイムコード（ＴＣｃ）を含む切り替え命令パケットが送信される。
【００７８】
２．切り替え命令受信機６２は、ＦとＴＣｃを読み取り、ファイルサーバに対して、指定されたファイル名をロードし、ＴＣｃとなる映像フレームを頭出しすることを指示する。
【００７９】
３．切り替え命令受信機６２は、ビデオサーバ６６ａ，６６ｂ，６６ｃ……からの動作結果を読み取り、ビデオサーバ６６ａ，６６ｂ，６６ｃ……が正常に動作した場合には、ＡＣＫ信号を切り替え命令送信機５５へ返信する。ビデオサーバ６６ａ，６６ｂ，６６ｃ……が異常終了した場合には、ＮＡＫ信号を返信する。
【００８０】
ＣＭ  ＩＮ
１．切り替え命令送信機５５から、スイッチャ６４の入カポートと出カポートの対応関係を示すマトリクス（ＭＴ）と、切り替えを行う時刻を示すタイムコード（ＴＣｓ）を含む切り替え命令パケットが送信される。
【００８１】
２．切り替え命令受信機６２は、タイムコード（ＴＣｓ）とマトリクス（ＭＴ）を読み取り、問題がない場合には、切り替え命令送信機５５へＡＣＫ信号を返信する。何らかの問題が発生した場合には、ＮＡＫ信号を返信する。
【００８２】
３．切り替え命令受信機６２は、切り替えタイミングまで待機する。
【００８３】
４．切り替え命令受信機６２は、ビデオサーバ６６ａ，６６ｂ，６６ｃ……に再生命令を送信する。ビデオサーバ６６ａ，６６ｂ，６６ｃ……から異常終了を受け取った場合には、ＮＡＫ信号を切り替え命令送信機５５へ返信し処理を終了する。
【００８４】
５．切り替え命令受信機６２は、スイッチャ６４にマトリクス（ＭＴ）に従ってスイッチする命令を送信する。スイッチからの異常終了を受け取った場合には、ＮＡＫ信号を切り替え命令送信機５５へ返信し処理を終了する。
【００８５】
６．ＡＣＫ信号を切り替え命令送信機５５へ返信する。
【００８６】
ＣＭ  ＯＵＴ
１．切り替え命令送信機５５から、スイッチャ６４の入力ポートと出カポートの対応関係を示すマトリクス（ＭＴ）と、切り替えを行う時刻を示すタイムコード（ＴＣｓ）を含む切り替え命令パケットが送信される。
【００８７】
２．切り替え命令受信機６２は、タイムコード（ＴＣｓ）とマトリクス（ＭＴ）を読み取り、問題がない場合には、切り替え命令送信機５５へＡＣＫ信号を返信する。何らかの問題が発生した場合には、ＮＡＫ信号を返信する。
【００８８】
３．切り替え命令受信機６２は、タイムコード（ＴＣｓ）まで待機する。
【００８９】
４．切り替え命令受信機６２は、スイッチャ６４にマトリクス（ＭＴ）に従ってスイッチする命令を送信する、スイッチからの異常終了を受け取った場合には、ＮＡＫ信号を切り替え命令送信機５５へ返信し処理を終了する。
【００９０】
５．切り替え命令受信機６２は、ビデオサーバ６６ａ，６６ｂ，６６ｃ……に停止命令を送信する。ビデオサーバ６６ａ，６６ｂ，６６ｃ……から異常終了を受け取った場合には、ＮＡＫ信号を切り替え命令送信機５５へ返信し処理を終了する。
【００９１】
６．ＡＣＫ信号を切り替え命令送信機５５へ返信する、
ＣＭ  ＩＮ  ＴＩＭＥＤ  ＯＵＴ
１．切り替え命令送信機５５から、スイッチャ６４の入力ポートと出カポートの対応関係を示すマトリクス（ＭＴ）と、切り替えを行う時刻を示すタイムコード（ＴＣｓ）と、切り替え時間を示すタイムコード（ＴＣｓ２）を含む切り替え命令パケットが送信される。
【００９２】
２．切り替え命令受信機６２は、（ＴＣｓ，ＭＴ，ＴＣｓ２）を読み取り、問題がない場合には、切り替え命令送信機５５へＡＣＫ信号を返信する。何らかの問題が発生した場合には、ＮＡＫ信号を返信する。
【００９３】
３．切り替え命令受信機６２は、現在のマトリクス（ＭＴ）を読み取り、（ＭＴｏ）として保存し、タイムコード（ＴＣｓ）まで待機する。
【００９４】
４．切り替え命令受信機６２は、ビデオサーバ６６ａ，６６ｂ，６６ｃ……に再生命令を送信する。ビデオサーバ６６ａ，６６ｂ，６６ｃ……から異常終了を受け取った場合には、ＮＡＫ信号を切り替え命令送信機５５へ返信し処理を終了する。
【００９５】
５．切り替え命令受信機６２は、スイッチャ６４にマトリクス（ＭＴ）に従ってスイッチする命令を送信する。スイッチからの異常終了を受け取った場合には、ＮＡＫ信号を切り替え命令送信機５５へ返信し処理を終了する。
【００９６】
６．ＡＣＫ信号を切り替え命令送信機５５へ返信する。
【００９７】
７．切り替え命令受信機６２は、タイムコード（ＴＣｓ２）まで待機する。
【００９８】
８．切り替え命令受信機６２は、スイッチャ６４にマトリクス（ＭＴｏ）に従ってスイッチする命令を送信する。スイッチからの異常終了を受け取った場合には、ＮＡＫ信号を切り替え命令送信機５５へ返信し処理を終了する。
【００９９】
９．切り替え命令受信機６２は、ビデオサーバ６６ａ，６６ｂ，６６ｃ……に停止命令を送信する。ビデオサーバ６６ａ，６６ｂ，６６ｃ……から異常終了を受け取った場合には、ＮＡＫ信号を切り替え命令送信機５５へ返信し処理を終了する。
【０１００】
１０．ＡＣＫ信号を切り替え命令送信機５５へ返信する。
【０１０１】
ＭＡＴＲＩＸ  ＲＥＡＤ
１．切り替え命令送信機５５から、ＭＡＴＲＩＸ  ＲＥＡＤの命令を示す切り替え命令パケットを送信する。
【０１０２】
２．切り替え命令受信機６２は、スイッチャ６４から、入力と出力の対応関係を示すマトリクスを読み込む。
【０１０３】
３．切り替え命令受信機６２は、マトリクス（ＭＴ）の読み込みが正常終了した場合には、切り替え命令送信機にＡＣＫ信号を返信する。異常終了した場合には、ＮＡＫ信号を返信する。
【０１０４】
４．マトリクスのデータを切り替え命令送信機５５へ返信する。
【０１０５】
ＭＡＴＲＩＸ  ＣＨＡＮＧＥ
１．切り替え命令送信機５５から、新たなマトリクス（ＭＴ）を含む、ＭＡＴＲＩＸ  ＣＨＡＮＧＥの切り替え命令パケットを送信する。
【０１０６】
２．切り替え命令受信機６２は、切り替え命令パケットよりマトリクス（ＭＴ）を読み取り、スイッチャ６４のマトリクス（ＭＴ）を変更する。
【０１０７】
３．切り替え命令受信機６２は、マトリクス（ＭＴ）の変更が正常終了した場合に、切り替え命令送信機５５へＡＣＫ信号を返信する。異常終了した場合には、ＮＡＫ信号を返信する。
【０１０８】
ＣＵＥ  ＵＰ，ＭＡＴＲＩＸ  ＲＥＡＤ，ＭＡＴＲＩＸ  ＣＨＡＮＧＥ命令は、切り替え命令パケットを受け取ってから処理が終了するまでの間、切り替え命令受信機は、次の切り替え命令パケットを受け取らない。ＣＭ  ＩＮ，ＣＭ  ＯＵＴ，ＣＭ  ＩＮ  ＴＩＭＥＤ  ＯＵＴ命令は、切り替え命令パケットを受け取ってから待機状態に以降した後に、切り替え動作を実行するまでの間、次の切り替え命令パケットを受け取ることができる。
【０１０９】
例えば、ＣＭ  ＩＮ命令に続けてＣＭ  ＯＵＴ命令が送信された場合には、初めのＣＭ  ＩＮ命令はキャンセルされ、ＣＭ  ＯＵＴ命令が実行される。これにより、誤ってＣＭ  ＩＮ命令を送信した場合にも、キャンセル可能とした。
【０１１０】
切り替え命令送信機の映像切り替え用アプリケーションは、これらの５つのコマンドを組み合せて映像切り替えを実施する。以下に手順を示す。
【０１１１】
ビデオサーバ６６ａ，６６ｂ，６６ｃ……の映像への切り替え、
１．ＣＭ  ＩＮを実行
２．ＭＡＴＲＩＸ  ＲＥＡＤを実行してマトリクス（ＭＴ）が正しく変更されたことを確認する。
【０１１２】
スタジオ５０から送られてくる映像への切り替え、
１．ＣＭ  ＯＵＴを実行
２．ＭＡＴＲＩＸ  ＲＥＡＤを実行してマトリクス（ＭＴ）が正しく変更されたことを確認し、
３．ＣＵＥ  ＵＰを実行
なお、図１で示した遠隔映像切り替え装置の各装置などの一部若しくは全部の機能をコンピュータのプログラムで構成し、そのプログラムをコンピュータを用いて実行して本発明を実現することができること、あるいは図２から図６に示した動作手順をコンピュータのプログラムで構成し、そのプログラムをコンピュータに実行させることができることは言うまでもなく、コンピュータでその機能を実現させるためのプログラム、あるいは、コンピュータにその処理手順を実行させるためのプログラムを、そのコンピュータが読み取りできる記録媒体、例えば、ＦＤ｛フロッピーディスク（登録商標）｝や、ＭＯ、ＲＯＭ、メモリカード、ＣＤ、ＤＶＤ、リムーバブルディスクなどに記録して、保存したり、配布したり、することが可能である。また、上記のプログラムをインターネットや電子メールなど、ネットワークを通して提供することも可能である。
【０１１３】
【発明の効果】
以上述べたように、本発明によれば、切り替え命令地点と切り替え実施地点が異なる場合に、転送映像がネットワークの影響を受けて損失した場合や、遅延変動の影響受けた場合にも、映像切り替え時期を正確に検出して、切り替え指示された映像フレームを正確に切り替え実施することができる。
【図面の簡単な説明】
【図１】本発明の実施の第１形態を示す遠隔切り替え装置のシステム構成図。
【図２】切り替え指示装置における動作手順を示すフローチャート。
【図３】切り替え指示装置における動作手順を示すフローチャート。
【図４】切り替え指示装置における動作手順を示すフローチャート。
【図５】切り替え実施装置における動作手順を示すフローチャート。
【図６】切り替え実施装置における動作手順を示すフローチャート。
【図７】本発明の実施の第２形態を示す遠隔映像切り替えシステムの構成説明図。
【符号の説明】
１０…切り替え指示装置
１１、２１…映像中継装置
１２…モニタ画面
１３…切り替え指示ボタン
１４…切り替え命令送信機
１５、２５…映像信号発生装置
２０…切り替え実施装置
２２…スイッチャ
２３…切り替え命令受信機
２４…ビデオサーバ
【図１】
0004130871.tif 000002
【図２】
0004130871.tif 000003
【図３】
0004130871.tif 000004
【図４】
0004130871.tif 000005
【図５】
0004130871.tif 000006
【図６】
0004130871.tif 000007
【図７】
0004130871.tif 000008